(57)【要約】【課題】  本発明の課題は、装置全体をコンパクトにすることで遊技盤の後方領域及び前面領域を広く取ることのできる遊技機用入賞装置及びそれを備えた遊技機を提供する。【解決手段】  入賞口１３の左右開口幅をＬ１とし、遊技球の直径をＤとするとＬ１＝２Ｄ＋α（α：微小幅）となる関係が成り立つように入賞口１３の左右方向寸法が設定されている。誘導樋１４は入賞口１３に対し左右方向に偏倚し、誘導樋１４の反対側にはソレノイド５０と伝達機構６０が、入賞口１３の前方に配置される開閉扉２０の後方と一部が重複するように配置されている。【選択図】図７
2011229640.tif 000002
【特許請求の範囲】
【請求項１】
遊技盤に対し遊技者の位置する前方側に固定される台板と、
前記台板に矩形状に開口形成された入賞口の下辺に沿う軸線周りで前後方向に回動して、前記入賞口を開閉するための矩形状の開閉扉と、
前記開閉扉の左右において前記台板の前方側にそれぞれ突出形成されるとともに、左右方向の外側から内側に向かうほど低位となるガイド面を有する一対のガイド部と、
開放状態の開閉扉を通り前記入賞口に至る遊技球を１個ずつ前記遊技盤の後方へ導くための誘導樋と、
前記開閉扉を駆動するための駆動出力部が上下方向に配置されたリニアアクチュエータと、
前記リニアアクチュエータの駆動出力部の直線運動を前記開閉扉の回転運動に変換しつつ駆動力を伝達するための伝達機構と、
を備え、
前記台板には、前記入賞口の左右開口幅が遊技球の直径２個分以上に形成されるとともに、前記開閉扉及び一対のガイド部が前方側に保持されて前方側ユニットを構成し、
その前方側ユニットに対して、前記リニアアクチュエータ及び伝達機構を含む後方側ユニットが後方側から組み付けられ、
平面視において、前記誘導樋は、その全体が前記入賞口の左右開口幅内であって、前記入賞口に対して左右方向の一方側に偏倚して配置される一方、前記後方側ユニットのリニアアクチュエータ及び伝達機構は、前記誘導樋の偏倚側とは反対側となる左右方向の他方側に配置されることを特徴とする遊技機用入賞装置。
【請求項２】
平面視において、前記誘導樋は、後方に向かって一直線状に延び、かつその左右方向の一側縁が前記入賞口の左右方向の一側縁に近接して配置されている請求項１に記載の遊技機用入賞装置。
【請求項３】
前記開閉扉の背面には、前記開放状態において前記入賞口を通過する前記遊技球を後方に位置する前記誘導樋に案内するために、左右の側縁から斜め後方へ向かって延びる傾斜部がそれぞれ隆起して形成され、それら左右の傾斜部に形成されて互いに対向する傾斜面の離間距離は、後方に向かうほど小さくなるように配置されている請求項１又は２に記載の遊技機用入賞装置。
【請求項４】
前記左右方向の他方側の傾斜部の後方には、前記入賞口を通過する遊技球を前記誘導樋に導くために、後方に向かうほど左右方向の他方側から一方側に傾斜する誘導壁が配置されている請求項３に記載の遊技機用入賞装置。
【請求項５】
平面視において、前記後方側ユニットの左右方向最大幅は、前記台板の前方に位置する前記開閉扉と一対のガイド部とによって構成される入賞可能最大幅よりも小に形成されている請求項１ないし４のいずれか１項に記載の遊技機用入賞装置。
【請求項６】
遊技球の直径２個分以上の左右開口幅を有する前記入賞口を下部入賞口とする一方、
その下部入賞口の上方には、遊技球の直径以上の開口幅にて上方開口する上部入賞口が配置され、
前記上部入賞口は前記下部入賞口の左右開口幅内に位置するとともに、前記上部入賞口の底面部は、前記リニアアクチュエータの上端部より下方に位置している請求項１ないし５のいずれか１項に記載の遊技機用入賞装置。
【請求項７】
請求項１ないし６のいずれか１項に記載の遊技機用入賞装置の前記台板が、前記遊技盤に対し遊技者の位置する前方側に固定されていることを特徴とする遊技機。
【発明の詳細な説明】
【技術分野】
【０００１】
本発明は、遊技機用入賞装置及びそれを備えた遊技機に関する。
【背景技術】
【０００２】
この種の遊技機用入賞装置として、例えば下記特許文献１に記載されているように、ソレノイド（リニアアクチュエータ）を横置きとし、チューリップ型の開閉部材に代えて、遊技球略１個分の幅で開口する下部入賞口を開閉する開閉扉と、開放した下部入賞口に対しその上面で遊技球を案内する一対のガイド部とにより構成される遊技機用入賞装置が知られている。このような構成とすることで遊技球入賞装置の上下方向の寸法を小さくすることができる。
【先行技術文献】
【特許文献】
【０００３】
【特許文献１】特開２００８−２４５７７７号公報
【発明の概要】
【発明が解決しようとする課題】
【０００４】
ところで、近年は遊技球を遊技盤の右側に流れるように打つ右打ち機が増加してきている。しかし、このような右打ち機では遊技領域の縁側に役物を配置することになってしまうので、基板や集合樋などの様々な構造物が遊技領域後方側に配置されることになり、遊技領域後方のスペースが狭くなってしまっていた。さらに、液晶表示装置の大型化にともない、入賞装置はできるだけコンパクトにすることが求められている。
【０００５】
しかし、特許文献１の遊技機用入賞装置では、上下方向の寸法は以前より小さくすることができたものの、ソレノイドが前後方向に配置されており、前後方向に対してコンパクト化は実現されておらず、全体としては未だ充分にコンパクトになっているとは言えなかった。
【０００６】
本発明の解決すべき課題は、装置全体をコンパクトにすることで遊技盤の後方領域及び前面領域を広く取ることのできる遊技機用入賞装置及びそれを備えた遊技機を提供することにある。
【課題を解決するための手段及び発明の効果】
【０００７】
上記課題を解決するために、本発明の遊技機用入賞装置は、
遊技盤に対し遊技者の位置する前方側に固定される台板と、
前記台板に矩形状に開口形成された入賞口の下辺に沿う軸線周りで前後方向に回動して、前記入賞口を開閉するための矩形状の開閉扉と、
前記開閉扉の左右において前記台板の前方側にそれぞれ突出形成されるとともに、左右方向の外側から内側に向かうほど低位となるガイド面を有する一対のガイド部と、
開放状態の開閉扉を通り前記入賞口に至る遊技球を１個ずつ前記遊技盤の後方へ導くための誘導樋と、
前記開閉扉を駆動するための駆動出力部が上下方向に配置されたリニアアクチュエータと、
前記リニアアクチュエータの駆動出力部の直線運動を前記開閉扉の回転運動に変換しつつ駆動力を伝達するための伝達機構と、
を備え、
前記台板には、前記入賞口の左右開口幅が遊技球の直径２個分以上に形成されるとともに、前記開閉扉及び一対のガイド部が前方側に保持されて前方側ユニットを構成し、
その前方側ユニットに対して、前記リニアアクチュエータ及び伝達機構を含む後方側ユニットが後方側から組み付けられ、
平面視において、前記誘導樋は、その全体が前記入賞口の左右開口幅内であって、前記入賞口に対して左右方向の一方側に偏倚して配置される一方、前記後方側ユニットのリニアアクチュエータ及び伝達機構は、前記誘導樋の偏倚側とは反対側となる左右方向の他方側に配置されることを特徴とする。
【０００８】
このような遊技機用入賞装置では、リニアアクチュエータが縦に置かれているので、前後方向の寸法を小さくすることができる。それに加え、誘導樋は平面視において入賞口の左右開口幅内であって、入賞口に対し左右方向に偏倚しているので、誘導樋の偏倚側とは反対側にリニアアクチュエータ及び伝達機構を配置することができ、誘導樋が入賞口の中心にある場合に比べ左右方向寸法を縮めることが可能である。このように、前後方向だけでなく左右方向の寸法も縮めることで、装置全体をコンパクトに形成することができる。
【０００９】
また、入賞口が遊技球の直径２個分以上の左右開口幅を有しているので、遊技球が同時に２個並んで入賞可能であり、遊技球を１個ずつ処理するより処理能力が高くなり、遊技にスピード感を出すことができる。
【００１０】
さらに、遊技機用入賞装置は前方側ユニットと後方側ユニットとを組み付けて構成されているので、機種変更などで遊技機前方の意匠面を変更する際は、前方側ユニットの交換のみでよく部品の汎用性が増す。
【００１１】
また、平面視において、前記誘導樋は、後方に向かって一直線状に延び、かつその左右方向の一側縁が前記入賞口の左右方向の一側縁に近接して配置されている構成としてもよい。
【００１２】
これによれば、誘導樋が直線状であり、誘導樋の左右方向の一側縁が入賞口の左右方向一側縁に近接して配置されているので、リニアアクチュエータ及び伝達機構は、より誘導樋側へ近い方へと配置することができ、入賞装置全体の左右方向幅を縮めることが可能である。例えば、誘導樋の左側縁を入賞口の左側縁と一致する、あるいは連続するように配置する場合は、リニアアクチュエータ及び伝達機構の右側配置スペースをより大きく確保することができる。
【００１３】
言い換えれば、前記誘導樋の通路幅中心線は、前記入賞口の左右方向中心線に対して前記左右方向の一方側に偏倚している構成とすることもできる。
【００１４】
また、前記開閉扉の背面には、前記開放状態において前記入賞口を通過する前記遊技球を後方に位置する前記誘導樋に案内するために、左右の側縁から斜め後方へ向かって延びる傾斜部がそれぞれ隆起して形成され、それら左右の傾斜部に形成されて互いに対向する傾斜面の離間距離は、後方に向かうほど小さくなるように配置されている構成としてもよい。
【００１５】
これによれば、遊技球を傾斜部に形成された傾斜面により誘導樋側へ誘導することができる。
【００１６】
また、前記左右方向の一方側における前記開閉扉の側縁と前記傾斜面との交差位置が、前記左右方向の他方側における前記開閉扉の側縁と前記傾斜面との交差位置よりも後方側に位置する構成としてもよい。
【００１７】
これによれば、開閉扉の側縁と傾斜面との交差位置が左右で異なるので、前後方向に長い傾斜面と前後方向に短い傾斜面とが形成され、入賞口の左右方向中心線と傾斜面との交差位置に前後方向の差を設けることができる。そして、前後方向に長い他方側の傾斜面の方が前後方向に短い一方側の傾斜面に比べて、より早くかつより長く遊技球に作用することとなり、遊技球が２個並んで進入してきた場合も遊技球が詰まるようなこと（玉噛みの問題）が起こりにくい。
【００１８】
また、平面視において、前記傾斜面は、前記入賞口の左右方向中心線に対して各々鋭角状に交差するとともに、その交差角は前記左右方向の一方側の傾斜面の方が大に形成されている構成としてもよい。
【００１９】
一方側の傾斜面と入賞口の左右方向中心線との交差角が、他方側の傾斜面と入賞口の左右方向中心線との交差角より大に形成されていることにより、入賞口の左右方向中心線と傾斜面との交差位置に前後方向の差を設ける（例えば一方側の傾斜面と入賞口の左右方向の中心線との交差位置が他方側の傾斜面と入賞口の左右方向の中心線との交差位置より前方）ことが容易にできる。これによって、遊技球が２個並んで進入してきた場合も遊技球が詰まるようなこと（玉噛みの問題）が起こりにくい。
【００２０】
また、前記左右方向の他方側の傾斜部の後方には、前記入賞口を通過する遊技球を前記誘導樋に導くために、後方に向かうほど左右方向の他方側から一方側に傾斜する誘導壁が配置されている構成としてもよい。
【００２１】
これによれば、リニアアクチュエータ及び伝達機構が配置されている側の傾斜部の後方に誘導壁が配置されているので、遊技球はそちら側へ向ったとしても誘導壁により、玉の動きを規制されるとともに、誘導樋側へと良好に導かれる。
【００２２】
また、平面視において、前記後方側ユニットの左右方向最大幅は、前記台板の前方に位置する前記開閉扉と一対のガイド部とによって構成される入賞可能最大幅よりも小に形成されている構成としてもよい。
【００２３】
これによれば、開閉扉と一対のガイド部とによって構成される入賞可能最大幅よりも後方側ユニットの左右方向最大幅の方が小さいので、台板が固定された遊技盤の後方はより左右方向寸法が縮まっていることとなるので、遊技盤の後方には、より多くの構造物を配置することが可能となる。
【００２４】
また、遊技球の直径２個分以上の左右開口幅を有する前記入賞口を下部入賞口とする一方、
その下部入賞口の上方には、遊技球の直径以上の開口幅にて上方開口する上部入賞口が配置され、
前記上部入賞口は前記下部入賞口の左右開口幅内に位置するとともに、前記上部入賞口の底面部は、前記リニアアクチュエータの上端部より下方に位置している構成としてもよい。
【００２５】
これによれば、上下に入賞口のある入賞装置において、上部入賞口の底面部がリニアアクチュエータの上端部より下方に位置しているので、リニアアクチュエータは上部入賞口とは左右に位置ズレした所に配置されていることとなり、上下方向の寸法を縮めることができる。
【００２６】
また、上記課題を解決するために本発明の遊技機は、上記した遊技機用入賞装置の前記台板が、前記遊技盤に対し遊技者の位置する前方側に固定されていることを特徴とする。
【００２７】
これによれば、前後方向の寸法だけではなく上下・左右方向の寸法も縮めることで、入賞装置自体をよりコンパクトにすることができる。よって、台板が遊技盤に固定された入賞装置の後方には、より多くの構造物を配置することが可能となる。また、前方の遊技盤面側も小さくなるので、釘や他の部品の配置に自由度を持たせることができる。
【図面の簡単な説明】
【００２８】
【図１】本発明に係る遊技機用入賞装置を備えたパチンコ機を例示する正面図。
【図２】遊技機用入賞装置の全体構造を示す斜視図。
【図３】図２に示した遊技機用入賞装置を前方側ユニットと後方側ユニットに分離して示す分解斜視図。
【図４】図３を別方向から見た分解斜視図。
【図５】図３に示した前方側ユニットの分解斜視図。
【図６】図３に示した後方側ユニットの分解斜視図。
【図７】図２において後方ケースを外したときの背面図。
【図８】（ａ）は図２の平面図。（ｂ）は図２の右側面図。
【図９】図８（ａ）のＸ−Ｘ断面図。
【図１０】図８（ｂ）において開閉扉が開放状態のときのＢ−Ｂ断面図。
【図１１】（ａ）開閉扉が閉鎖状態のときの駆動系の要部を示す斜視図。（ｂ）開閉扉が開放状態のときの駆動系の要部を示す斜視図。
【図１２】（ａ）図８（ａ）において開閉扉が閉鎖状態のときのＡ−Ａ断面図。（ｂ）図８（ａ）において開閉扉が開放状態のときのＡ−Ａ断面図。
【図１３】（ａ）図８（ｂ）において開閉扉が閉鎖状態のときのＢ−Ｂ断面図。（ｂ）図８（ｂ）において開閉扉が開放状態のときのＢ−Ｂ断面図。
【図１４】（ａ）図１３（ｂ）において遊技球の移動の様子を示す図。（ｂ）遊技球の移動の様子を示す別パターンの図。
【発明を実施するための形態】
【００２９】
（実施例１）
以下、本発明の実施の形態を図面を参照しつつ説明する。図１に示すように、パチンコ機１（遊技機）の遊技盤２の盤面（前面）には、ほぼ左半周が内外２本のガイドレール２ｂによって区画され、全体として円形の遊技領域２ａが形成されている。遊技領域２ａの中央には液晶表示部３が搭載され、液晶表示部３の下方（遊技領域２ａの中央下部）には入賞扉４ａによって形成される大入賞口４（アタッカー）が配置されている。液晶表示部３と大入賞口４との間には、始動入賞口である遊技機用入賞装置（以下、入賞装置と略称する）５が配置されている。
【００３０】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３１】
図２〜図６に示すように入賞装置５は前方側ユニットＦＵと、この前方側ユニットＦＵに一体的に組み付けられる後方側ユニットＲＵで構成されている。前方側ユニットＦＵは、前方ケース１０（ケース体）、開閉扉２０、前方部材３０を備えており、後方側ユニットＲＵは、後方ケース４０（ケース体）、ソレノイド（リニアアクチュエータ）５０、伝達部材６１、作用部材６２及びカバー体４１を備えている。そして、図３、図４に示すように一体的に形成されるケース体である前方ケース１０と後方ケース４０とは二本のネジ９１，９１によって固定され、近接スイッチ（検出スイッチ）７０及び発光基板８０が前後に挟み込まれて保持されている。
【００３２】
前方ケース１０は、後方が開口した容器状に形成されており、前方には外枠１０ａより大きく形成された薄板状の台板１１が形成されている。また、前方ケース１０の中央上方には正面視Ｕ字状に、台板１１よりも前方に突出した上部入賞口１２が形成されている。上部入賞口１２は、常に開放状態（入賞可能状態）にある始動入賞口である。この上部入賞口１２には、入賞した遊技球Ｐを円滑に後方へ誘導するための誘導樋１５が一体形成されている（図２、図３、図４、図１２参照）。
【００３３】
前方ケース１０の後方下端部には、近接スイッチ７０を挿入するための拒形状の孔部１０ｂが前方の台板１１へ向けて形成されている。また、誘導樋１５の底面下方及び孔部１０ｂの右側には、外枠１０ａより後方へ突出した円柱状の取付部１０ｃ，１０ｃが各々形成されている（図４参照）。
【００３４】
台板１１の中央には、長方形状の開口が形成されており、この開口が下部入賞口（入賞口）１３となる。そして、前方ケース１０には、その下部入賞口１３の下方から後方へ向けて誘導樋１４が形成されている。誘導樋１４には、左右において上方に突出し、その上面が緩やかに後方へ向けて下降する誘導リブ１４ａ，１４ａが形成され、この左右の誘導リブ１４ａ，１４ａの端から端までが誘導樋１４の左右幅となる。また、台板１１の四隅には、入賞装置５を遊技盤２へネジ留め固定するために貫通孔１１ａが形成されている（図３、図４、図５参照）。
【００３５】
また、台板１１には、入賞口１３の下方部の左右を基端として、台板１１の側方へ向けてその途中まで水平に伸びる溝部１１ｂ，１１ｂが各々形成されている。また、各溝部１１ｂの上方には貫通孔１１ｃ，１１ｃが左右対称に形成されている。さらに、台板１１の中央側方に左右対称に二箇所、溝部１１ｂの下方の左右対称な位置に二箇所、係合孔１１ｄが形成されている（図５参照）。
【００３６】
開閉扉２０は、正面視長方形状の板状に形成されており、その下方部右側は後方へ向け延出した側壁２０ｅを形成している。その側壁２０ｅからは、右側へ向け突出した係合突起２０ｃが形成されている。また、開閉扉２０の下側両側方には、回転軸部材２１が挿入されるための係合孔２０ｄ，２０ｄがそれぞれ形成されている（図５参照）。
【００３７】
前方部材３０は、薄板状の前側装飾部材３２の左右後方に突出したガイド部３１，３１が各々形成されている。ガイド部３１の上部は、上方から下方の下部入賞口１３にかけて傾斜したガイド面３１ａを有しており、ガイド部３１の後方には台板１１の各係合孔１１ｄと係合するための係合突起３１ａが上下に二箇所ずつ形成されている（図５に一部図示）。
【００３８】
そして、開閉扉２０の係合孔２０ｄに回転軸部材２１が係合され、前方ケース１０の台板１１に形成された溝部１１ｂに回転軸部材２１が配置されるようになる。この状態で、前方ケース１０と前方部材３０により回転軸部材２１が挟み込まれるように保持され、開閉扉２０は回転軸部材２１を中心に回転可能となる。ここで、前方部材３０は二本のネジ９２，９２が貫通孔１１ｃを通りガイド部３１と連結されることで前方ケース１０と固定されている（図５参照）。
【００３９】
後方ケース４０は、中空箱状に形成された外枠４０ａに対し、中央部分が前方及び下方に向けて開口しており、右側方には上方に天井壁４０ｃ、下方に底壁４０ｄ、前方に前方壁４０ｅ、後方に後方壁４０ｆが形成されている。また、後方ケース４０の下方には上下に段差を有した収容部４０ｂが形成されており、この収容部４０ｂに近接スイッチ７０が収容され、近接スイッチ７０の貫通孔７１が収容部４０ｂ内に位置することとなる（図６参照）。
【００４０】
さらに、後方ケース４０の中央から前方へ向い通路壁４０ｇが形成され、右側方には、前方へ向けて延出され、その先端から後方に向うにつれ、中央に向けて傾斜した誘導面４２ａを有した誘導壁４２が形成されている。また、前方壁４０ｅには、上下に二箇所の貫通孔４０ｊ，４０ｊが形成されており、前方壁４０ｅの右側方下端及び底壁４０ｄの右側方後端には取付部４０ｉ，４０ｉが形成されている。さらに、後方壁４０ｆの上方に係合孔４０ｈが形成されている（図６、図１０参照）。
【００４１】
ソレノイド５０（リニアアクチュエータ）は、図６に示すように、コイル部５１、プランジャ（駆動出力部）５２、およびコイル部５１の上下前後を囲う金属製のケース５３を備えてなり、コイル部５１への通電により発生する電磁力によってプランジャ４２が上下方向に直線移動する。
【００４２】
具体的には、プランジャ５２の下端部には、フランジ部５２ａ（プランジャの作用部）が設けられ、フランジ部５２ａとケース５３との間には圧縮コイルばね５４が介装されており、プランジャ５２が圧縮コイルばね５４を圧縮しつつコイル部５１内へ引き込まれるようになっている（図９、図１１参照）。すなわち、プランジャ５２は、コイル部５１の通電解除状態では圧縮コイルばね５４の付勢力により下方へ押し出された原位置（前進位置、突出位置）にあり、コイル部５１の通電状態では圧縮コイルばね５４の付勢力に抗して上方のコイル部５１内へ引き込まれた作用位置（後退位置）に移動する。
【００４３】
伝達機構６０は、ソレノイド５０、伝達部材６１及び作用部材６２から構成されており、これらが後方ケース４０の右側方においてカバー体４１に覆われるように配置される。カバー体４１は、ネジ９４，９４と取付部４０ｉ，４０ｉにより固定される（図６参照）。また、ケース５３は、この状態でネジ９３，９３が貫通孔４０ｊ，４０ｊに挿通された後、ケース５３に形成された取付部５３ａ，５３ａと締結されることで固定される。
【００４４】
伝達部材６１は、長細い板状のアーム部６１ａの後方の左右に回転軸６１ｄ,６１ｄを有しており、アーム部６１ａの前方はＵ字状の先端部６１ｃが形成されている。また、アーム部６１ａの左側方には円筒状の誘導部６１ｂが形成されている（図６参照）。
【００４５】
作用部材６２は中空状の薄い箱体から下方に向けて薄板が延出される形状となっている。そして、上部がＵ字状に右側方へ向けて開口しており、下方の薄板には長穴状の誘導孔６２ｂが形成されている（図６、図９参照）。
【００４６】
伝達機構６０が組み付けられるとき、フランジ部５２ａが作用部材６２の上部に形成されたＵ字状の嵌合部６２ａに狭持される。また、伝達部材６１は、誘導部６１ｂが誘導孔６２ｂに対し水平移動可能に配置され、左側の回転軸６１ｄが係合孔４０ｈに対し回動可能に配置される（図６、図９参照）。右側の回転軸６１ｄも同様にカバー体４１の内側に形成される誘導孔に回動可能に配置される（図示せず）。また、先端部６１ｃのＵ字状の溝部を開閉扉２０の係合突起２０ｃが移動可能に配置される。
【００４７】
図７に示すように、入賞装置５から後方ケース４０を外すと背面視において、ソレノイド５０の上端部５０ａは、上部入賞口１２に入賞した遊技球Ｐを後方へと導く誘導樋１５の底面部１５ａより上方に位置している。つまり、上部入賞口１２の左方にソレノイド５０が位置していることとなる。
【００４８】
このように、上部入賞口１２の左方にソレノイド５０が位置しているので、ソレノイド５０の上端部５０ａが誘導樋１５の底面部１５ａより下方に位置している場合に比べ上下方向の寸法を縮めることができる。
【００４９】
また、入賞口１３（または開閉扉２０）の左右方向中心線Ｏａは、台板１１の中心及び上部入賞口１２の中心を通るようになっている。そして、誘導樋１４の通路幅中心線Ｏｂは、入賞口１３の左右方向中心線Ｏａに対し、左右方向に位置ズレ（オフセット）している。つまり、誘導樋１４は開閉扉２０に対し右方向（正面視では左方向）に位置ズレしていることとなる。別の見方をすると、背面視において、誘導樋１４の誘導リブ１４ａの右側縁１４ａ１と入賞口１３の右側縁１３ａ１が近接して配置されている。
【００５０】
また、入賞口１３の左右開口幅をＬ１とし、遊技球Ｐの直径をＤとするとＬ１＝２Ｄ＋α（α：微小幅）となる関係が成り立つように入賞口１３の左右方向寸法が設定されている。そして、入賞口１３の前方に配置される開閉扉２０の後方にソレノイド５０と伝達機構６０の一部が重複するような配置となっている。
【００５１】
通常入賞口１３は遊技球Ｐ略一個分の幅に設定されているので、誘導樋１４の前方は開閉扉２０の真後ろに配置するしかなかった。よって、入賞口１３の左右方向の中心線Ｏａと誘導樋１４の通路幅中心線Ｏｂとは重なり合う位置に配置することとなり、このような位置であれば誘導樋１４は、後方の構造物であるソレノイド５０や伝達機構６０と干渉してしまうことになるので、後方の構造物は左右方向にずらすしかなく、左右方向の寸法が自ずと広がることになってしまっていた。
【００５２】
しかし、入賞口１３を遊技球Ｐが２個並んで入賞可能な開口幅に設定し、入賞口１３の左右方向の中心線Ｏａと誘導樋１４の通路幅中心線Ｏｂとを左右方向に位置ズレさせることで、開閉扉２０の後方に構造物を配置することができるようになり、入賞口１３の左右方向の中心線Ｏａと誘導樋１４の通路幅中心線Ｏｂとが重なり合う位置にある場合に比べ、左右方向の寸法を小さくすることができる。さらには、遊技球Ｐが２個並んで入賞可能な開口幅に設定してあるので、遊技球Ｐ１個分の幅に設定されている場合に比べ、入賞処理が素早くなり、遊技にスピード感を与えることができる。
【００５３】
次に、図８（ａ）に入賞装置５の平面図、図８（ｂ）に入賞装置５の右側面図を示す。
【００５４】
図９は、図８（ａ）をＸ−Ｘ断面により切断したときの図であり、この図９により伝達機構６０の位置関係を説明する。伝達機構６０は、ソレノイド５０、作用部材６２、伝達部材６１から構成されている。ソレノイド５０において、コイル部５１から下方に突出したプランジャ５２のフランジ部５２ａに連結された作用部材６２の下部の誘導孔６２ｂに、伝達部材６１の誘導部６１ｂが挿入される配置となっている。また、伝達部材６１の先端部６１ｃに開閉扉２０の係合突起２０ｃが移動可能に配置されている。このとき伝達部材６１は、回転軸６１ｄが伝達部材回転軸線Ｏｃを中心として回転し、開閉扉２０は、回転軸部材２１が開閉扉回転軸線Ｏｄを中心とし回転するようになっている（図１１参照）。
【００５５】
図１０は、図８（ｂ）において開閉扉２０が開放状態の場合のＢ−Ｂ断面図である。ここで、入賞口１３の左右開口幅Ｌ１、開閉扉２０と左右のガイド部３１とで構成される入賞可能最大幅Ｌ２、前方ケース１０を含む前方側ユニットＦＵと後方ケース４０を含む後方側ユニットＲＵとにより一体的に形成されるケース体の左右方向最大幅（後方側ユニットの左右方向最大幅）Ｌ３の関係について説明する。
【００５６】
入賞口１３の左右開口幅Ｌ１内に誘導樋１４が形成され、ソレノイド５０及び伝達機構６０は入賞口１３の左右開口幅Ｌ１内に一部が重複するような配置とされている（図７参照）。また、入賞口１３の左側縁１３ａ１と誘導樋１４の左側に形成される誘導リブ１４ａの左側縁１４ａ１とは近接するような位置に配置されている。さらに、入賞口の左右方向中心線Ｏａと誘導樋の通路幅中心線Ｏｂとは、左右に位置ズレした位置に配置されている。
【００５７】
このような配置とすることで、ソレノイド５０及び伝達機構６０を誘導樋１４側へ配置することができ、入賞口１３（または開閉扉２０）の右側後方に構造物を配置することが可能となっている。よって、左右方向の寸法を縮めることができる。
【００５８】
また、入賞可能最大幅Ｌ２に比べケース体の左右方向最大幅Ｌ３が小となるように構成されている。このような構成とすることで、台板１１が固定された遊技盤２の後方は、より左右方向寸法が縮まっていることとなるので、遊技盤２の後方には、多くの構造物を配置することが可能となる。
【００５９】
ここで、図１０に示すように、開閉扉２０の背面には遊技球Ｐを誘導樋へと案内するために左右の側縁から斜め後方に向って延びる右傾斜部２０ａ及び左傾斜部２０ｂが隆起して形成されている。各傾斜部２０ａ，２０ｂには互いに対向する右傾斜面２０ａ１及び左傾斜面２０ｂ１が形成されている（図１１（ｂ）参照）。図１０に表された各傾斜面２０ａ１，２０ｂ１と開閉扉２０の背面底部との交差線において、左右方向の交差線の距離を離間距離Ｌ４とすると、Ｌ４は前方から後方に向うほど小さくなっている。また、各傾斜面２０ａ１，２０ｂ１において、開閉扉２０の左右の側縁と交差する位置は右傾斜面２０ａ１に比べ左傾斜面２０ｂ１が後方に位置している。
【００６０】
さらに、上記交差線の延長線と入賞口の左右方向中心線Ｏａとの交点をそれぞれＡ，Ｂとし、それぞれの交差角をθａ，θｂとする。このときθａ≒３０°，θｂ≒４０°（θｂ＞θａ）となっている。また、交点は、点Ｂの方が点Ａに比べ前方に配置している。
【００６１】
次に、入賞装置５の作動について図１１〜図１３により説明する。図１１は駆動系の要部を示す図であり、図１１（ａ）において開閉扉２０は閉鎖状態、図１１（ｂ）において開閉扉２０は開放状態である。
【００６２】
開閉扉２０が閉鎖状態のとき、ソレノイド５０のコイル部５１が通電状態になるとプランジャ５２が引き上げられる。プランジャ５２の上昇移動にともない作用部材６２が上昇する。さらに、作用部材６２の移動にともなって伝達部材６１は回転軸６１ｄを中心に右回りに回転する（右側面視）。伝達部材６１の回転にともない、先端部６１ｃが上昇することで係合突起２０ｃが上昇する。さらに、係合突起２０ｃの上昇にともない、開閉扉２０は回転部軸材２１を中心に左回りに回転する（右側面視）。よって、開閉扉２０は前方へ開く（図１１（ｂ）開放状態参照）。このとき、伝達部材６１の誘導部６１ｂは作用部材６２の誘導孔６２ｂを後方から前方へ移動している（図９、図１１参照）。
【００６３】
開閉扉２０が開放状態のとき、ソレノイド５０のコイル部５１が通電解除状態になるとプランジャ５２はコイルばね５４の働きにより下降する。プランジャ５２の下降移動にともない作用部材６２が下降する。さらに、作用部材６２の移動にともなって伝達部材６１は回転軸６１ｄを中心に左回りに回転する（右側面視）。伝達部材６１の回転にともない、先端部６１ｃが下降することで係合突起２０ｃが下降する。さらに、係合突起２０ｃの下降にともない、開閉扉２０は回転軸部材２１を中心に右回りに回転する（右側面視）。よって、開閉扉２０は後方へ閉鎖される（図１１（ａ）閉鎖状態参照）。このとき、伝達部材６１の誘導部６１ｂは作用部材６２の誘導孔６２ｂを前方から後方へ移動している（図９、図１１参照）。
【００６４】
図１２、図１３において遊技球Ｐを点線で表すと図１２（ａ）及び図１３（ａ）の閉鎖状態では、上部入賞口１２に進入してきた遊技球Ｐは、誘導樋１５により前方ケース１０から後方ケース４０へ向けて移動する。また、ガイド部３１に流下してきた遊技球Ｐはガイド部３１のガイド面３１ａを下方に向けて移動し、ガイド部３１，３１間の隙間からそのまま流下する。
【００６５】
図１２（ｂ）及び図１３（ｂ）の開放状態では、上部入賞口１２に進入してきた遊技球Ｐは閉鎖状態と同様に、誘導樋１５により前方ケース１０から後方ケース４０へ向けて移動する。また、ガイド部３１に流下してきた遊技球Ｐはガイド部３１のガイド面３１ａを下方に向けて移動し、開閉扉２０上に乗り、開閉扉２０上を前方から後方へ向けて移動する。その後、誘導樋１４の誘導リブ１４ａ上を前方から後方へ向けて移動し、後方に設けられた近接スイッチ７０の検出孔７１を上方から下方へ流下する。検出孔７１を遊技球Ｐが通ることで、下部入賞口１３に遊技球Ｐが入賞したことが検出される。
【００６６】
ここで、上部入賞口１２に進入してきた遊技球Ｐは、誘導樋１５により直線状に後方ケース４０側に誘導された後、向きを左方に変え、入賞装置５外の所定位置に設けられる近接スイッチ（図示省略）へ誘導される。
【００６７】
次に、遊技球Ｐの移動の様子についてより具体的に説明する。図１４（ａ）は、遊技球Ｐが開閉扉２０に対し右側を通るルートを示した遊技球Ｐの軌跡である。遊技球Ｐは、開閉扉２０の右傾斜部２０ａに形成された右傾斜面２０ａ１により、誘導樋１４側へ誘導されながら後方へ移動する。また、誘導樋１４から右側へそれた遊技球Ｐは、誘導壁４２の誘導面４２ａにより誘導樋１４側へ誘導され、誘導リブ１４ａ上を通り後方へと移動する。
【００６８】
図１４（ｂ）は、遊技球Ｐが開閉扉２０に対し左側を通るルートを示した遊技球Ｐの軌跡である。遊技球Ｐは、開閉扉２０の左傾斜部２０ｂに形成された左傾斜面２０ｂ１により、誘導樋１４側へ誘導されながら後方へ移動する。そして、誘導樋１４へと誘導され、誘導リブ１４ａ上を後方へと移動する。
【００６９】
このように、開閉扉２０の背面左右に形成された右傾斜部２０ａ、左傾斜部２０ｂの右傾斜面２０ａ１、左傾斜面２０ｂ１の作用により、遊技球Ｐを誘導樋１４側へ向けて誘導することができる。また、開閉扉２０の左側縁と左傾斜面２０ｂ１との交差位置が開閉扉２０の右側縁と傾斜面２０ａ１との交差位置の後方にあること、及び左側の傾斜面２０ｂ１と入賞口の左右方向中心線Ｏａとの交差角θｂが右側の傾斜面２０ａ１と入賞口の左右方向中心線Ｏａとの交差角θａより大に形成されていることにより、入賞口の左右方向中心線Ｏａと各傾斜面２０ａ１，２０ｂ１との交差位置に前後方向の差を設ける（例えば点Ｂが点Ａより前方）ことが容易にできる。これによって、遊技球Ｐが２個並んで進入してきた場合も遊技球Ｐが詰まるようなこと（玉噛みの問題）が起こらない。
【００７０】
ここで、実際の遊技球Ｐの動きは、左のガイド部３１に当たった後に、誘導壁４２に当接する場合や、各傾斜面２０ａ１，２０ｂ１の作用を殆ど受けず、開閉扉２０の中心付近をそのまま通過するような場合など様々考えられる。しかし、どのような場合においても遊技球Ｐは、開閉扉２０の背面に設けられた右傾斜部２０ａ，左傾斜部２０ｂの各傾斜面２０ａ１，２０ｂ１及び誘導壁４２の誘導面４２ａにより誘導樋１４へ向けて誘導されるので、誘導樋１４から遊技球Ｐが大きく外れるようなことはない。
【００７１】
上記に記載したように、入賞装置５は前後だけではなく、上下・左右のいずれの方向にも寸法を縮めることができる構成となっているので、入賞装置５自体をよりコンパクトにすることができる。よって、台板１１が遊技盤２に固定された入賞装置５の後方には、より多くの構造物を配置することが可能となる。
【００７２】
また、入賞装置５を小さくすることで、台板１１も小さくすることができ、遊技領域２ａに占める入賞装置５の大きさを小さくすることも可能となる。ゆえに、遊技盤２の前面側において配置される釘や他の部品の配置に自由度を持たせることができる。
【００７３】
上記の説明から明らかなように、この実施例では、前方側ユニットＦＵと後方側ユニットＲＵとが二本のネジ９１，９１によって固定されているので、組み付けが楽であり、機種変更などで前方の意匠面を変更したい場合は前方側ユニットＦＵのみの交換でよい。よって、部品のリサイクルが可能になり経済的である。
【００７４】
また、上記実施例では前方側ユニットＦＵと後方側ユニットＲＵとの間に発光素子８１を備えた発光基板８０が配置されているので、遊技者は遊技球Ｐの入賞時や大当たり時の発光素子８１による演出効果により遊技への興趣が増す。
【００７５】
なお、上記実施例では誘導樋１４は、前方側ユニットＦＵに形成されていたが、後方側ユニットＲＵに形成することもできる。
【００７６】
さらに、上記実施例では前方側ユニットＦＵはケース形状となっていたが、台板の後方に突出形成される外枠やリブが無い形態とすることもできる。つまり、前方側ユニットＦＵは台板及び開閉扉を備え、台板は背面を有しない面一形態であり、後方側ユニットＲＵにリニアアクチュエータ、伝達機構、誘導樋が含まれる形態としてもよい。ここで、誘導樋は前方側ユニットに一体形成することもできる。
【００７７】
なお、上記実施例では一対の上部入賞口１２及び下部入賞口１３が設けられているタイプの入賞装置５に本発明を適用した場合について説明したが、入賞装置はこれに限らず、例えば上部入賞口が設けられていないタイプの入賞装置や、上部入賞口は設けられているが常に開放状態（入賞可能状態）にあるものではなく、例えば下部入賞口に連動して閉鎖状態（入賞不能状態）になるタイプの入賞装置であってもよい。
【００７８】
また、上部入賞口を設けず、入賞可能最大幅Ｌ２を広げることでアタッカー（大入賞口）とすることも可能である。
【００７９】
また、上記実施例ではリニアアクチュエータにソレノイドを使用したが、リニアステッピングモータ等も使用可能である。リニアステッピングモータが使用される場合には、駆動出力部として、例えばスクリューシャフトが使用される。
【符号の説明】
【００８０】
１        遊技機
２        遊技盤
２ａ      遊技領域
３        液晶表示部
４        大入賞口
４ａ      入賞扉
５        入賞装置（遊技球入賞装置）
ＦＵ      前方側ユニット
ＲＵ      後方側ユニット
１０      前方ケース（ケース体）
１１      台板
１２      上部入賞口
１３      下部入賞口（入賞口）
１４      誘導樋
１５      誘導樋
２０      開閉扉
２０ａ    右傾斜部（傾斜部）
２０ａ１  右傾斜面（傾斜面）
２０ｂ    左傾斜部（傾斜部）
２０ｂ１  左傾斜面（傾斜面）
２１      回転軸部材
３０      前方部材
３１      ガイド部
３２      前側装飾部材
４０      後方ケース（ケース体）
４１      カバー体
４２      誘導壁
４２ａ    誘導面
５０      ソレノイド（リニアアクチュエータ）
５１      コイル部
５２      プランジャ（駆動出力部）
５２ａ    フランジ部
５３      ケース
５４      コイルばね
６０      伝達機構
６１      伝達部材
６２      作用部材
６１ａ    アーム部
６１ｂ    誘導部
６１ｃ    先端部
６１ｄ    回転軸
７０      近接スイッチ
７１      検出孔
８０      発光基板
９１，９２，９３，９４  ネジ
Ｐ        遊技球
Ｌ１      入賞口の左右開口幅
Ｌ２      入賞可能最大幅
Ｌ３      ケース体の左右方向最大幅（後方側ユニットの左右方向最大幅）
Ｌ４      離間距離
Ｏａ      入賞口の左右方向中心線
Ｏｂ      誘導樋の通路幅中心線
Ｏｃ      伝達部材回転軸線
Ｏｄ      開閉扉回転軸線
【図１】
2011229640.tif 000003
【図２】
2011229640.tif 000004
【図３】
2011229640.tif 000005
【図４】
2011229640.tif 000006
【図５】
2011229640.tif 000007
【図６】
2011229640.tif 000008
【図７】
2011229640.tif 000009
【図８】
2011229640.tif 000010
【図９】
2011229640.tif 000011
【図１０】
2011229640.tif 000012
【図１１】
2011229640.tif 000013
【図１２】
2011229640.tif 000014
【図１３】
2011229640.tif 000015
【図１４】
2011229640.tif 000016